【手続補正書】
【提出日】平成16年10月26日(2004.10.26)
【手続補正１】
【補正対象書類名】明細書
【補正対象項目名】発明の名称
【補正方法】変更
【補正の内容】
【発明の名称】情報入出力システムおよびそれに用いる端末ならびに情報入出力方法
【手続補正２】
【補正対象書類名】明細書
【補正対象項目名】特許請求の範囲
【補正方法】変更
【補正の内容】
【特許請求の範囲】
【請求項１】
インターネットに接続でき、プリントすべきコンテンツを特定するコンテンツＩＤおよび印刷する装置を特定する印刷出力先ＩＤを少なくとも含むプリント要求データを送出する端末と、該端末から送信されたプリント要求データに含まれる前記「印刷出力先ＩＤ」を解析して得られた出力先に従って適当なプリンタサーバへ印刷要求を送信するインターネットに接続されたプリント要求管理サーバ，およびプリンタサーバと、前記プリンタサーバに接続されたプリンタからなる情報入出力システムにおいて、
前記プリント要求管理サーバは、前記印刷出力先装置に関する情報を管理し、該情報に基づいてコンテンツを変換した後前記プリントサーバに出力することを特徴とする情報入出力システム。
【請求項２】
インターネットに接続でき、プリントすべきコンテンツを特定するコンテンツＩＤおよび印刷する装置を特定する印刷出力先ＩＤを少なくとも含むプリント要求データを送出する端末と、該端末から送信されたプリント要求データに含まれる前記「印刷出力先ＩＤ」を解析して得られた出力先に従って適当なファクシミリサーバへ印刷要求を送信するインターネットに接続されたプリント要求管理サーバ，およびファクシミリサーバと、前記ファクシミリサーバに接続されたファクシミリからなる情報入出力システムにおいて、
前記プリント要求管理サーバは、前記印刷出力先装置に関する情報を管理し、該情報に基づいてコンテンツを変換した後前記ファクシミリサーバに出力することを特徴とする情報入出力システム。
【請求項３】
インターネットに接続でき、プリントすべきコンテンツを特定するコンテンツＩＤおよび印刷する装置を特定する印刷出力先ＩＤを少なくとも含むプリント要求データを送出する端末と、該端末から送信されたプリント要求データに含まれる前記「印刷出力先ＩＤ」を解析して得られた出力先に従って適当なプリンタサーバへ印刷要求を送信するインターネットに接続されたプリント要求管理サーバ，およびプリンタサーバと、前記プリンタサーバに接続されたプリンタからなる情報入出力システムにおいて、
前記端末に、該端末に表示されるコンテンツ内の操作ボタンとは異なる印刷用ボタンを設けたことを特徴とする情報入出力システム。
【請求項４】
インターネットに接続でき、プリントすべきコンテンツを特定するコンテンツＩＤおよび印刷する装置を特定する印刷出力先ＩＤを少なくとも含むプリント要求データを送出する端末と、該端末から送信されたプリント要求データに含まれる前記「印刷出力先ＩＤ」を解析して得られた出力先に従って適当なファクシミリサーバへ印刷要求を送信するインターネットに接続されたプリント要求管理サーバ，およびファクシミリサーバと、前記ファクシミリサーバに接続されたファクシミリからなる情報入出力システムにおいて、
前記端末に、該端末に表示されるコンテンツ内の操作ボタンとは異なる印刷用ボタンを設けたことを特徴とする情報入出力システム。
【請求項５】
前記印刷用ボタンは、ソフトウェアにより前記端末の画面内の特定の位置に表示されるボタン、あるいはハードウェア的に設けられた機械式スイッチであることを特徴とする請求項３または４記載の情報入出力システム。
【請求項６】
前記印刷用ボタンは、押下した場合に、前記端末内に保持されている情報の全部または一部を、前記プリント要求管理サーバの一つへ送信する機能を有することを特徴とする請求項３〜５のいずれか１項に記載の情報入出力システム。
【請求項７】
前記印刷用ボタンは、押下した場合に送信される前記端末内に保持されている情報の全部または一部を、当該端末の表示部に表示するか否かを選択可能としたことを特徴とする請求項２〜６のいずれか１項に記載の情報入出力システム。
【請求項８】
インターネットに接続でき、プリントすべきコンテンツを特定するコンテンツＩＤおよび印刷する装置を特定する印刷出力先ＩＤを少なくとも含むプリント要求データを送出する端末と、該端末とインターネットとのデータ送受信の中継を行うゲートウェイと、該端末から送信されたプリント要求データに含まれる前記「印刷出力先ＩＤ」を解析して得られた出力先に従って適当なプリンタサーバへ印刷要求を送信するインターネットに接続されたプリント要求管理サーバ，およびプリンタサーバと、前記プリンタサーバに接続されたプリンタからなる情報入出力システムにおいて、
前記ゲートウェイは、前記端末で受信不可能であるデータを中継する場合に、該端末へデータを送信せずに保管し、保管されたデータへコンテンツＩＤを割り当てることを特徴とする情報入出力システム。
【請求項９】
インターネットに接続でき、プリントすべきコンテンツを特定するコンテンツＩＤおよび印刷する装置を特定する印刷出力先ＩＤを少なくとも含むプリント要求データを送出する端末と、該端末とインターネットとのデータ送受信の中継を行うゲートウェイと、該端末から送信されたプリント要求データに含まれる前記「印刷出力先ＩＤ」を解析して得られた出力先に従って適当なファクシミリサーバへ印刷要求を送信するインターネットに接続されたプリント要求管理サーバ，およびファクシミリサーバと、前記ファクシミリサーバに接続されたファクシミリからなる情報入出力システムにおいて、
前記ゲートウェイは、前記端末で受信不可能であるデータを中継する場合に、該端末へデータを送信せずに保管し、保管されたデータへコンテンツＩＤを割り当てることを特徴とする情報入出力システム。
【請求項１０】
前記ゲートウェイは、受信不可能なデータが保管されていることを当該端末へ通知する機能を有することを特徴とする請求項８または９記載の情報入出力システム。
【請求項１１】
前記端末への受信不可能なデータが保管されていることの通知は、該端末を所有するユーザの電子メールアドレスに対してメールを用いて送信することを特徴とする請求項１０記載の情報入出力システム。
【請求項１２】
インターネットに接続でき、プリントすべきコンテンツを特定するコンテンツＩＤおよび印刷する装置を特定する印刷出力先ＩＤを少なくとも含むプリント要求データを送出する端末と、該端末から送信されたプリント要求データに含まれる前記「印刷出力先ＩＤ」を解析して得られた出力先に従って適当なプリンタサーバへ印刷要求を送信するインターネットに接続されたプリント要求管理サーバ，およびプリンタサーバと、前記プリンタサーバに接続されたプリンタからなる情報入出力システムにおいて、
前記プリント要求管理サーバは、どのユーザがどのコンテンツをどこに出力したかの情報を集計，加工し、結果をコンテンツ提供業者または端末管理サーバへ通知する手段を有することを特徴とする情報入出力システム。
【請求項１３】
インターネットに接続でき、プリントすべきコンテンツを特定するコンテンツＩＤおよび印刷する装置を特定する印刷出力先ＩＤを少なくとも含むプリント要求データを送出する端末と、該端末から送信されたプリント要求データに含まれる前記「印刷出力先ＩＤ」を解析して得られた出力先に従って適当なファクシミリサーバへ印刷要求を送信するインターネットに接続されたプリント要求管理サーバ，およびファクシミリサーバと、前記ファクシミリサーバに接続されたファクシミリからなる情報入出力システムにおいて、
前記プリント要求管理サーバは、どのユーザがどのコンテンツをどこに出力したかの情報を集計，加工し、結果をコンテンツ提供業者または端末管理サーバへ通知する手段を有することを特徴とする情報入出力システム。
【請求項１４】
前記端末はインターネットに接続されている印刷用機器に接続され、前記印刷用機器は、接続された端末に保持されているコンテンツＩＤ情報を受信し、受信した該コンテンツＩＤと該印刷用機器を示す印刷出力先ＩＤを前記プリント要求管理サーバに送信することにより、該印刷用機器から該コンテンツを出力することを特徴とする請求項１〜１３のいずれか１項に記載の情報入出力システム。
【請求項１５】
前記印刷用機器でのコンテンツ出力時に、その出力にかかる料金を該印刷用機器に併設された集金用機器に収集し、該集金用機器の収集課金管理を、前記プリント要求管理サーバで行なうことを特徴とする請求項１４記載の情報入出力システム。
【請求項１６】
インターネットに接続されているＣＳＳ（故障管理システム）管理用データベースが存在し、ＣＳＳ加入印刷用機器でコンテンツを入手した場合、該ＣＳＳ加入費の一部として印刷用機器での出力料が支払われることを特徴とする情報入出力システム。
【請求項１７】
インターネットに接続でき、プリントすべきコンテンツを特定するコンテンツＩＤおよび印刷する装置を特定する印刷出力先ＩＤを少なくとも含むプリント要求データを送出する端末であって、表示部に表示されるコンテンツ情報内の操作ボタンとは異なる印刷用ボタンを具備することを特徴とする端末。
【請求項１８】
インターネットに接続できる端末と、インターネットに接続され、印刷出力先装置に関する情報を管理するプリント要求管理サーバと、インターネットに接続されたプリントサーバと、該プリントサーバに接続されたプリンタとを具備する情報入出力方法において、
前記端末がプリントすべきコンテンツを特定するコンテンツＩＤおよび印刷する装置を特定する印刷出力先ＩＤを少なくとも含むプリント要求データを送出するステップと、
前記プリント要求管理サーバが前記端末から送信されたプリント要求データに含まれる前記「印刷出力先ＩＤ」を解析して得られた出力先に従って適当なプリンタサーバへ印刷要求を送信するステップと、前記印刷出力先装置に関する情報に基づいてコンテンツを変換するステップと、該変換されたコンテンツを前記プリントサーバに出力するステップと、
前記プリンタサーバが前記プリント要求管理サーバが出力した前記変換されたコンテンツを前記プリンタに送出するステップと、
前記プリンタが前記プリンタサーバから送信されたコンテンツを出力するステップと、
を有することを特徴とする情報入出力方法。
【請求項１９】
インターネットに接続できる端末と、インターネットに接続され、印刷出力先装置に関する情報を管理するプリント要求管理サーバと、インターネットに接続されたファクシミリサーバと、該ファクシミリサーバに接続されたファクシミリとを具備する情報入出力方法において、
前記端末がプリントすべきコンテンツを特定するコンテンツＩＤおよび印刷する装置を特定する印刷出力先ＩＤを少なくとも含むプリント要求データを送出するステップと、
前記プリント要求管理サーバが前記端末から送信されたプリント要求データに含まれる前記「印刷出力先ＩＤ」を解析して得られた出力先に従って適当なファクシミリサーバへ印刷要求を送信するステップと、前記印刷出力先装置に関する情報に基づいてコンテンツを変換するステップと、該変換されたコンテンツを前記ファクシミリサーバに出力するステップと、
前記ファクシミリサーバが前記変換されたコンテンツを前記ファクシミリに送出するステップと、
前記ファクシミリが前記ファクシミリサーバから送信されたコンテンツを出力するステップと、
を有することを特徴とする情報入出力方法。
【手続補正３】
【補正対象書類名】明細書
【補正対象項目名】０００１
【補正方法】変更
【補正の内容】
【０００１】
【発明の属する技術分野】
本発明は、携帯電話やＰＤＡなどの端末を利用し、使用者がホストコンピュータ（コンテンツサーバ）から所望の情報（コンテンツ）を所望のプリンタやファクシミリなどの出力機器に出力することが可能な情報入出力システムおよびそれに用いる端末ならびに情報入出力方法に関するものである。
【手続補正４】
【補正対象書類名】明細書
【補正対象項目名】００１２
【補正方法】変更
【補正の内容】
【００１２】
また、インターネットに接続可能な端末を用いた携帯情報端末サービスにおいては、メニュー等の多段階層を用いて所望のコンテンツまで行き情報を得るのが普通である。またこのようなコンテンツ情報は多岐に渡り、その数は莫大な数となっている。そして所望のコンテンツが小さい端末ディスプレイ上では理解しにくいとか見にくいと言った理由で印刷を希望する場合、この携帯端末中のディスプレイ上で、既に選ばれているコンテンツ情報を印刷したいことがあるが、従来は、所望のコンテンツ情報を表示またはメニュー中の所望のコンテンツ情報を選択した上で、印刷用要求を出すといった方式は存在していなかった。
【手続補正５】
【補正対象書類名】明細書
【補正対象項目名】００２３
【補正方法】変更
【補正の内容】
【００２３】
すなわち、
（１）請求項１または２記載の発明では、プリント要求管理サーバは、印刷出力先装置に関する情報を管理し、該情報に基づいてコンテンツを変換した後プリントサーバまたはファクシミリサーバに出力することを特徴としている。
この構成によると、コンテンツを加工編集（例：出力紙のサイズに合ったフォーム，ファイルフォーマット変換）などの変換を行ない、その変換したコンテンツを出力機器に転送し、該出力機器からコンテンツを適切な状態で出力することができるので、ユーザ側の出力機器に各種コンテンツ情報毎の出力ドライバやソフトを用意することなく、保有する出力機器のパフォーマンスを意識することなしに、所望のコンテンツを容易に出力することができるようになる。
【手続補正６】
【補正対象書類名】明細書
【補正対象項目名】００２４
【補正方法】変更
【補正の内容】
【００２４】
（２）請求項３または４記載の発明では、前記端末に、該端末に表示されるコンテンツ内の操作ボタンとは異なる印刷用ボタンを設けたことを、請求項５記載の発明では、印刷用ボタンを、端末の画面内の特定の位置に表示されるボタンあるいはハードウェア的に設けられた機械式スイッチとしたことを特徴としている。
このような印刷用ボタンを用いることにより、現存する莫大なコンテンツデータの変更なしに、既存のコンテンツを簡便に印刷することができるようになる。
【手続補正７】
【補正対象書類名】明細書
【補正対象項目名】００２５
【補正方法】変更
【補正の内容】
【００２５】
（３）請求項６記載の発明では、印刷用ボタンを押下した場合に、例えば現在表示中のコンテンツの所在（ＵＲＬ: Uniform Resource Location）や端末のＩＤ等の、端末内に保持されているデータの全部あるいは一部を、プリント要求管理データへ自動的に送信することにより、既存のコンテンツデータを変更すること無しに簡単に印刷指定を行うことができる。
【手続補正８】
【補正対象書類名】明細書
【補正対象項目名】００２６
【補正方法】変更
【補正の内容】
【００２６】
（４）請求項７記載の発明では、印刷用ボタンを押下した場合に送信する端末内のデータを当該端末の表示部に表示するか否かを選択可能としたことを特徴としている。
この構成により、ユーザが送信する情報を事前に確認し、必要であれば修正することができる。
【手続補正９】
【補正対象書類名】明細書
【補正対象項目名】００２７
【補正方法】変更
【補正の内容】
【００２７】
（５）請求項８または９記載の発明では、端末とインターネットの中継を行うゲートウェイが、端末で受信不可能であるデータを送信する場合に、端末へ当該データを送信する代わりにそのデータへコンテンツＩＤを割り当て、保管することを、請求項１０記載の発明は、前記ゲートウェイが端末が受信不可能なデータを保管していることを端末へ通知する手段を有することを、請求項１１記載の発明は、端末への通知は該端末を管理するユーザの電子メールアドレスに対して電子メールを用いて送信することを、それぞれ特徴としている。
この構成によれば、携帯端末のディスプレイでは表示不可能なコンテンツや、あるいは携帯端末では受信不可能なメール等のデータはインターネット上に保管され、ユーザは保管されているデータに割り当てられたコンテンツＩＤと印刷出力先ＩＤをプリント要求管理サーバへ送信することにより任意の出力機器に出力することが可能となる。従って、従来携帯端末では利用できなかったサイズ容量の大きいコンテンツや電子メール等を、出力機器を代替手段として閲覧することが可能となる。また、端末が受信不可能であるデータが保管されていることをゲートウェイが当該端末へ通知することにより、ユーザは短時間でこれに対処することができる。
【手続補正１０】
【補正対象書類名】明細書
【補正対象項目名】００２８
【補正方法】変更
【補正の内容】
【００２８】
（６）請求項１２または１３記載の発明では、プリント要求管理サーバは、どのユーザがどのコンテンツをどこに出力したかを集計し、コンテンツ提供業者または端末管理サーバへ通知する手段を有することを特徴としている。
これにより、プリント要求管理サーバで詳細な課金管理を行なうことが可能になる。
【手続補正１１】
【補正対象書類名】明細書
【補正対象項目名】００２９
【補正方法】変更
【補正の内容】
【００２９】
（７）請求項１４記載の発明では、前記端末をインターネットに接続されている印刷機器に接続し、前記端末内に保持されている「コンテンツＩＤ」を前記印刷機器に送信し、印刷機器は受信した「コンテンツＩＤ」と、該印刷機器を示す「印刷出力先ＩＤ」とを前記プリント要求管理サーバに送信することにより、該印刷機器より印刷を行うことを特徴としている。
これにより、携帯電話を用いて、電波不通の場所ででもコンテンツ情報を容易に入手することが可能となり、また印刷先ＩＤを入力する必要をなくすことができる。
【手続補正１２】
【補正対象書類名】明細書
【補正対象項目名】００３０
【補正方法】変更
【補正の内容】
【００３０】
（８）請求項１５記載の発明は、前記印刷機器でのコンテンツ出力時に、その出力料金を該印刷機器に設置されている課金用集金装置に収集し、該課金用集金装置の収集課金管理を、前記プリント要求管理サーバで行なうことを特徴としている。
これにより、本情報入出力システム管理者が、コンテンツ使用料として支払う料金を、課金用集金装置中のコインを回収する事なし把握でき、早期に支払うことが可能となる。
【手続補正１３】
【補正対象書類名】明細書
【補正対象項目名】００３１
【補正方法】変更
【補正の内容】
【００３１】
（９）請求項１６記載の発明では、インターネットに接続されているＣＳＳ（故障管理システム）管理データベースが存在し、ＣＳＳ加入印刷機器でコンテンツを入手した場合、該ＣＳＳ加入費として印刷機器での出力料が支払われるようにしたことを特徴としている。
これにより、ユーザにとっては、コンテンツの使用料の支払いが容易となり、また１つの印刷機器に係わる使用料の回収が容易となる。
【手続補正１４】
【補正対象書類名】明細書
【補正対象項目名】００３２
【補正方法】変更
【補正の内容】
【００３２】
（１０）請求項１７記載の発明は、インターネットに接続でき、プリントすべきコンテンツを特定するコンテンツＩＤおよび印刷する装置を特定する印刷出力先ＩＤを少なくとも含むプリント要求データを送出する端末であって、表示部に表示されるコンテンツ情報内の操作ボタンとは異なる印刷用ボタンを具備することを特徴としている。
これにより、現存する莫大なコンテンツやコンテンツメニューの変更なしに、既存のコンテンツ情報を簡便に印刷することが可能な端末を実現できる。
また、請求項１８または１９記載の発明は、インターネットに接続できる端末と、インターネットに接続され、印刷出力先装置に関する情報を管理するプリント要求管理サーバと、インターネットに接続されたプリントサーバまたはファクシミリサーバと、該プリントサーバまたはファクシミリサーバにそれぞれ接続されたプリンタまたはファクシミリとを具備する情報入出力方法において、前記端末がプリントすべきコンテンツを特定するコンテンツＩＤおよび印刷する装置を特定する印刷出力先ＩＤを少なくとも含むプリント要求データを送出するステップと、前記プリント要求管理サーバが前記端末から送信されたプリント要求データに含まれる前記「印刷出力先ＩＤ」を解析して得られた出力先に従って適当なプリンタサーバまたはファクシミリサーバへ印刷要求を送信するステップと、前記印刷出力先装置に関する情報に基づいてコンテンツを変換するステップと、該変換されたコンテンツを前記プリントサーバまたはファクシミリサーバに出力するステップと、前記プリンタサーバまたはファクシミリサーバが前記プリント要求管理サーバが出力した前記変換されたコンテンツを前記プリンタまたはファクシミリに送出するステップと、前記プリンタまたはファクシミリが前記プリンタサーバまたはファクシミリサーバから送信されたコンテンツを出力するステップとを有することを特徴としている。
これにより、ユーザ側の出力機器に各種コンテンツ情報毎の出力ドライバやソフトを用意することなく、保有する出力機器のパフォーマンスを意識することなしに、所望のコンテンツを容易に出力する方法が可能になる。
【手続補正１５】
【補正対象書類名】明細書
【補正対象項目名】００６１
【補正方法】変更
【補正の内容】
【００６１】
図１４は、選択されたコンテンツ（ドキュメント）を印刷する際にかかる課金情報の表示画面の例である。本例では、選択されたコンテンツの著作権に対する課金が「１００円」、コンテンツを印刷するための通信料に対する課金が「２０円」で、合計「１２０円」が利用者に課金されることを示している。表示される課金の値や課金の種類は、選択されたコンテンツによる。また、課金情報への承諾を行うための「次へ」（ＯＫ）、承諾せずに印刷操作を取り消す「キャンセル」ボタンも表示される。
【手続補正１６】
【補正対象書類名】明細書
【補正対象項目名】００６８
【補正方法】変更
【補正の内容】
【００６８】
図２０は、図１９で「直接番号入力」を選択した場合に表示されるファクシミリ番号直接入力画面の例であり、本例では、直接入力したファクシミリ番号をリストに登録するメニューも表示され、また、これらの入力を確認する「送信」（ＯＫ）と取り消す「キャンセル」も表示される。
【手続補正１７】
【補正対象書類名】明細書
【補正対象項目名】００９０
【補正方法】変更
【補正の内容】
【００９０】
図２４は、本実施形態の実現例である。同図（ａ）は、携帯端末１０１に、通常のボタンのほかに、「印字ボタン」（印刷用ボタン）２０１を設けた例であり、同図（ｂ）は、情報端末１０１のキーボードの一部に「印字ボタン」（印刷用ボタン）２０１を設けた例である。なお、同図にはインターネットに接続するためのインターネットボタン２０２も示されている。
今、携帯端末は、該端末の管理者であるユーザがもっともよく使うファクシミリの番号である"012-3456-7890"を「印刷出力先ＩＤ」としてすでに端末内にデータ保持しているものとする。さらに「コンテンツＩＤ」がhttp://contserver/doc.htmlであるコンテンツを現在表示している。携帯端末の「印字ボタン」（印刷用ボタン）２０１には次のURI（Uniform Resource Information）と同様な機能が割り当てられている。
http://preqserver/cginame?docname=http://contserver/doc.html&faxnumber=012-3456-7890"
ここでpreqserverはプリント要求管理サーバ名であり、cginameはプリント要求管理サーバで稼働するデータ入力用cgi名である。この例の場合は変数として"docname"および"faxnumber"が入力される。この例の場合、「印字ボタン」（印刷用ボタン）２０１が押された際にはプリント要求管理サーバへ現在表示中の「コンテンツＩＤ」と「印刷出力先ＩＤ」を同時に送信することが可能である。言うまでもないが、この例は送信するデータを限定するものではない。例えば端末内に保持されているプリント要求管理サーバ名を変更したり、「印刷出力先ＩＤ」は送信せずに、プリント要求管理サーバとの接続後に指定したりといった変更が考えられる。
この構成により、「印字ボタン」（印刷用ボタン）２０１を押下するだけで、「コンテンツＩＤ」の入力作業や、現存する莫大なコンテンツデータの変更なしに、既存のコンテンツを簡便に印刷することが可能になる。
【手続補正１８】
【補正対象書類名】明細書
【補正対象項目名】００９１
【補正方法】変更
【補正の内容】
【００９１】
また、端末１０１から、上記「印字ボタン」（印刷用ボタン）２０１を押した場合に送信しようとするデータ、すなわち上の例の場合は「コンテンツＩＤ」と「印刷出力先ＩＤ」を端末のディスプレイ上に表示してユーザに確認させることができる。ユーザーは表示されたデータ、例えば「印刷出力先ＩＤ」等を確認した後、必要があればこれを変更することができる。
【手続補正１９】
【補正対象書類名】明細書
【補正対象項目名】符号の説明
【補正方法】変更
【補正の内容】
【符号の説明】
１０１  端末（例えば、移動体通信端末）
１０２  無線パケット網
１０３  ゲートウェイ
１０４  ＩＳＰ（インターネット・サービス・プロバイダ）
１０５  プリント要求管理サーバ
１０５１  入出力部
１０５２  制御部
１０５３  データ保持部
１０６  ネットワーク（インターネット）
１０７，１０７’  ファクシミリサーバ
１０７１  入出力部
１０７２  制御部
１０７３  データ変換部
１０７４  作業用記憶装置
１０７５  データ保持部
１０８，１０８’  プリントサーバ
１０８１  入出力部
１０８２  制御部
１０８３  データ変換部
１０８４  作業用データ保持部
１０８５  データ保持部
１０９  公衆電話回線，ＩＳＤＮ
１１０  ファクシミリ
１１１  ＬＡＮ（ローカル・エリア・ネットワーク）
１１２  プリンタ（インターネットファクシミリ）
１１３  ファイアウォール（防火壁）
１３１  ユーザＩＤ
１３１１  プリント要求データ
２０１  印字ボタン（印刷用ボタン）
２０２  インターネットボタン
３０１  ＭＦＰ（MultiFunction Products：プリンタ，ファクシミリ，複写機能を有する多機能装置）
３０２  課金用集金装置